(57)【要約】【課題】  電動送風機の配置方向を工夫して、吸引力の低下や部品点数の増大を抑えることができるアップライト型掃除機を提供する。【解決手段】  底面側に吸込口３を有する床用吸込具２と、この床用吸込具２上に起立した状態から後方に傾倒した状態に回動可能に連結された掃除機本体１とを有して、起立状態の掃除機本体１の下部に吸引用の電動送風機６を内蔵し、下部前面には電動送風機６からの排気を外部に排出する排気口７を形成すると共に、電動送風機６を、その吸引側を起立状態の掃除機本体１の背面側に向け、排気側を起立状態の掃除機本体１の前面側に向けて配置した。【選択図】        図１
2008023016.tif 000002
【特許請求の範囲】
【請求項１】
底面側に吸込口を有する床用吸込具と、この床用吸込具上に起立した状態から後方に傾倒した状態に回動可能に連結された掃除機本体とを有して、起立状態の掃除機本体の下部に吸引用の電動送風機を内蔵し、下部前面には前記電動送風機からの排気を外部に排出する排気口を形成すると共に、前記電動送風機を、その吸引側を起立状態の掃除機本体の背面側に向け、排気側を起立状態の掃除機本体の前面側に向けて配置したことを特徴とするアップライト型掃除機。
【請求項２】
起立状態の掃除機本体における電動送風機の上部に集塵室を配置し、その背面側通気口に塵埃を濾過するフィルタを配置して、当該フィルタと前記電動送風機の吸引側とを連通する吸引流路を形成したことを特徴とする請求項１記載のアップライト型掃除機。
【請求項３】
前記電動送風機を、その吸引側を起立状態の掃除機本体の背面側斜め上方に向けて配置したことを特徴とする請求項２記載のアップライト型掃除機。
【請求項４】
前記床用吸込具の吸込口に連通する吸引用ホースを前記電動送風機の下部に生じるデッドペースに利用して配置したことを特徴とする請求項１ないし請求項３のいずれかに記載のアップライト型掃除機。
【請求項５】
前記床用吸込具の車輪を前記電動送風機の下部に生じるデッドペースを利用して配置したこと特徴とする請求項１ないし請求項４のいずれかに記載のアップライト型掃除機。
【請求項６】
前記電動送風機は、起立状態の掃除機本体の前ケースと後ケースにそれぞれ電動機部側と送風機部側がクッション材を介して個別に支持されていることを特徴とする請求項１ないし請求項５のいずれかに記載のアップライト型掃除機。
【発明の詳細な説明】
【技術分野】
【０００１】
本願発明は、掃除機本体が床用吸込具上に起立可能に構成されたアップライト型掃除機に関するものである。
【背景技術】
【０００２】
アップライト型掃除機は、底面側に吸込口を有する床用吸込具と、この床用吸込具上に起立した状態から後方に傾倒した状態に回動可能に連結された掃除機本体とを有し、掃除機本体の上部にハンドルが設けられている。
【０００３】
特許文献１には、その図７や図１２に示されているように、起立状態の掃除機本体の下部に吸引用の電動送風機を内蔵し、下部前面には前記電動送風機からの排気を外部に排出する排気口を形成したものが開示されている。
【０００４】
上記電動送風機は、その回転軸方向を掃除機本体の幅方向（左右方向）に向けて配置されており、同じく床用吸込具の幅方向（左右方向）に向けて配置された回転ブラシの回転軸が上記電動送風機の回転軸にベルト等を介して連結されて回転駆動されるようになっている。
【特許文献１】特開平１０−１２７５３８号公報
【発明の開示】
【発明が解決しようとする課題】
【０００５】
上述したアップライト型掃除機においては、電動送風機が、その回転軸方向を掃除機本体の幅方向（左右方向）に向けて配置されて回転ブラシのベルト駆動等は容易になるが、電動送風機の後部（電動機部）の排気側が掃除機本体の幅方向の左右いずれかに片寄って位置している。従って、電動送風機からの排気を掃除機本体の下部前面に形成された排気口全体を使用して排出することができないので、充分な排気量を排出することができずに、排気圧による圧力損失が発生して、吸引力が低下する要因になっていた。
【０００６】
また、電動送風機の吸引口も掃除機本体の幅方向の左右いずれかに片寄って位置するため、集塵室の通気口に配置されて塵埃を濾過するフィルタと電動送風機の吸引口とを連通する吸引流路が屈曲して、流路抵抗の増大により吸引力が低下すると共に、吸引流路を形成する金型構造が複雑になって、部品点数も増大する。
【０００７】
また、床用吸込具の吸込口に連通させる吸引用ホースを、掃除機本体の幅方向に向けて配置された電動送風機の外側に配して吸込口の幅方向端部側に接続しなければならないので、床用吸込具の幅方向左右の吸引力差が大きくなる不具合が生じると共に、床用吸込具の幅を必要に応じて小さくすることができなくなるので、小型化や軽量化の妨げとなっている。
【０００８】
同様に、掃除機本体の幅方向に向けて配置された電動送風機のため、床用吸込具の車輪（前車輪）の配置スペースが狭くなるので、その車輪径がどうしても小さくなる。車輪径は大きい方が走行性は向上するので、車輪径を大きくできないことは走行性を阻害する要因となっていた。
【０００９】
そこで、本願発明はこのような課題を解決するためになされたものであり、電動送風機の配置方向を工夫して、吸引力の低下や部品点数の増大を抑えることができるアップライト型掃除機を提供することを目的とするものである。
【００１０】
また、床用吸込具の幅方向左右の吸引力差が少なくなると共に小型化や軽量化も可能となり、また走行性が改善できるアップライト型掃除機を提供することを目的とするものである。
【課題を解決するための手段】
【００１１】
上記のような目的を達成するために、本願の請求項１に係る発明は、底面側に吸込口を有する床用吸込具と、この床用吸込具上に起立した状態から後方に傾倒した状態に回動可能に連結された掃除機本体とを有して、起立状態の掃除機本体の下部に吸引用の電動送風機を内蔵し、下部前面には前記電動送風機からの排気を外部に排出する排気口を形成すると共に、前記電動送風機を、その吸引側を起立状態の掃除機本体の背面側に向け、排気側を起立状態の掃除機本体の前面側に向けて配置したことを特徴とするものである。
【００１２】
請求項２に係る発明は、前記請求項１記載のものにおいて、起立状態の掃除機本体における電動送風機の上部に集塵室を配置し、その背面側通気口に塵埃を濾過するフィルタを配置して、当該フィルタと前記電動送風機の吸引側とを連通する吸引流路を形成したことを特徴とするものである。
【００１３】
請求項３に係る発明は、前記請求項２記載のものにおいて、前記電動送風機を、その吸引側を起立状態の掃除機本体の背面側斜め上方に向けて配置したことを特徴とするものである。
【００１４】
請求項４に係る発明は、前記請求項１ないし請求項３のいずれかに記載のものにおいて、前記床用吸込具の吸込口に連通する吸引用ホースを前記電動送風機の下部に生じるデッドペースを利用して配置したことを特徴とするものである。
【００１５】
請求項５に係る発明は、前記請求項１ないし請求項４のいずれかに記載のものにおいて、前記床用吸込具の車輪を前記電動送風機の下部に生じるデッドペースを利用して配置したこと特徴とするものである。
【００１６】
請求項６に係る発明は、前記請求項１ないし請求項５のいずれかに記載のものにおいて、前記電動送風機は、起立状態の掃除機本体の前ケースと後ケースにそれぞれ電動機部側と送風機部側がクッション材を介して個別に支持されていることを特徴とするものである。
【発明の効果】
【００１７】
本願の請求項１記載の発明によれば、起立状態の掃除機本体の下部に吸引用の電動送風機を内蔵し、下部前面には電動送風機からの排気を外部に排出する排気口を形成すると共に、電動送風機を、その吸引側を起立状態の掃除機本体の背面側に向け、排気側を起立状態の掃除機本体の前面側に向けて配置したことにより、電動送風機からの排気を掃除機本体の下部前面に形成された排気口全体を使用して排出することができるので、排気圧による圧力損失を少なくして、吸引力の低下を抑えることができる。
【００１８】
請求項２記載の発明によれば、起立状態の掃除機本体における電動送風機の上部に集塵室を配置し、その背面側通気口に塵埃を濾過するフィルタを配置して、当該フィルタと前記電動送風機の吸引側とを連通する吸引流路を形成したことにより、吸引流路を掃除機本体の背面側に上下方向に直線状に配置できるため、流路抵抗が少なくなって吸引力の低下を少なく抑えることができる。また、吸引流路が簡素化できることにより、その金型構造が複雑になることなく、部品点数の増大も抑えることができる。
【００１９】
請求項３記載の発明によれば、前記電動送風機を、その吸引側を起立状態の掃除機本体の背面側斜め上方に向けて配置することにより、電動送風機の吸引口が上部の集塵室からの吸引流路側に向くようになるので、流路抵抗が更に少なくなって吸引力の低下をより少なく抑えることができる。
【００２０】
請求項４記載の発明によれば、前記床用吸込具の吸込口に連通する吸引用ホースを前記電動送風機の下部に生じるデッドペースを有効利用して配置したことにより、吸引用ホースを床用吸込具の幅方向中央寄りに接続することができて、床用吸込具の幅方向左右の吸引力差が少なくなり、吸込性能の改善が可能となる。また、床用吸込具の幅を必要に応じて小さくすることもできるので、小型化や軽量化も可能となる。
【００２１】
請求項５記載の発明によれば、前記床用吸込具の車輪を前記電動送風機の下部に生じるデッドペースを有効利用して配置することにより、車輪径を大きくすることができて、走行性が改善でき、操作性が向上する。
【００２２】
請求項６記載の発明によれば、前記電動送風機が、起立状態の掃除機本体の前ケースと後ケースにそれぞれ電動機部側と送風機部側がクッション材を介して個別に支持されていることにより、電動送風機の電動機部側と送風機部側がそれぞれ前ケースと後ケース間に位置しないので、組立性や気密性の向上を図ることができる。
【発明を実施するための最良の形態】
【００２３】
以下、本願発明の実施形態を図面を参照して詳細に説明する。
【００２４】
図１は、本願発明に係るアップライト型掃除機の一実施形態における掃除機本体の起立状態時を示す側断面図、図２はそのダストボックスを取り外して示した正面図、図３は更に電動送風機部分を露出させて示した正面図、図４は図１のＡ−Ａ断面図、図５は図１のＢ−Ｂ断面図である。なお、各図において、白抜き矢印は電動送風機の駆動時に生じる空気の流れを示している。
【００２５】
このアップライト型掃除機は、起立状態で縦長の掃除機本体１と、その下部に連結された床用吸込具２とから成り、床用吸込具２は前部底面側に吸込口３を有し、掃除機本体１は床用吸込具２上に起立した状態から後方に傾倒した状態に回動可能に連結されている。
【００２６】
床用吸込具２には、後端側に左右一対の後車輪４が設けられていると共に、前側にも図９，図１０に示すような左右一対の前車輪５が設けられている。
【００２７】
起立状態の掃除機本体１の前ケース１ａと後ケース１ｂ内には、下部に吸引用の電動送風機６が内蔵されると共に、下部前面には幅方向全体にわたって格子状に形成された排気口７が形成されており、それらの上部側に前面開口の集塵室８が形成されている。この集塵室８には、集塵した塵埃が溜まるダストボックス９が着脱可能に装着されるように構成されている。また、掃除機本体１の上部には、その幅方向に形成されたリング状ハンドル１０と、上方に伸びて上端側に円弧状のグリップ部１１ａが形成された棒状ハンドル１１とが備えられている。
【００２８】
電動送風機６は、駆動源となる電動機部６ａと、この電動機部６ａによって回転駆動される送風機部６ｂとが一体に構成されており、送風機部６ｂの吸引口６ｃから吸い込まれた空気は、電動機部６ａ内を通って駆動部を冷却した後に、そのブラケット６ｄに形成された排気孔６ｅから排出されるようになっている。
【００２９】
一方、集塵室８の背面（奥壁）側には、上部に床用吸込具２の吸込口３と吸引用ホース１２及び吸引用パイプ１３を介して連通する吸引筒１４が突設され、その下部側に電動送風機６の吸引口６ｃに吸引流路１５を介して連通する通気口１６が形成されている。この通気口１６には、集塵室８からの塵埃を濾過するフィルタ１７が着脱可能に装着されている。
【００３０】
本実施形態においては、上記電動送風機６が、その吸引側（送風機部６ｂの吸引口６ｃ側）を起立状態の掃除機本体１の背面側に向け、排気側（電動機部６ａの排気孔６ｅ側）を起立状態の掃除機本体１の前面側に向けて配置されている。
【００３１】
これにより、電動送風機６からの排気を図１，図２に示すように掃除機本体１の下部前面に形成された排気口７全体を使用して排出することができるので、排気圧による圧力損失を少なくして、吸引力の低下を抑えることができる。
【００３２】
また、集塵室８の背面側通気口１６に配置されたフィルタ１７と電動送風機６の吸引口６ｃとを連通する吸引流路１５を掃除機本体１の背面側に上下方向に直線状に配置できるため、流路抵抗が少なくなって吸引力の低下を少なく抑えることができる。また、合成樹脂で形成される吸引流路１５が簡素化できることにより、その金型構造が複雑になることなく、部品点数の増大も抑えることができる。
【００３３】
さらに、電動送風機６は、起立状態の掃除機本体１の前ケース１ａと後ケース１ｂにそれぞれ電動機部６ａ側と送風機部６ｂ側がクッション材１８ａ，１８ｂを介して個別に支持されている。
【００３４】
このように構成することにより、電動送風機６の電動機部６ａ側と送風機部６ｂ側がそれぞれ前ケース１ａと後ケース１ｂ間には位置しないので、組立性や気密性の向上を図ることができる。
【００３５】
また、本実施形態においては、床用吸込具２の吸込口３に連通する吸引用ホース１２を、上述したように配置した電動送風機６の外郭の円弧によって斜め下部に生じるデッドペースを有効利用して、図６〜図８に示すように出来るだけ床用吸込具２の幅方向中央寄りに配置している。
【００３６】
このように構成することによって、吸引用ホース１２を床用吸込具２の幅方向中央寄りに接続することができるので、床用吸込具２の幅方向左右の吸引力差が少なくなり、吸込性能の改善が可能となる。また、床用吸込具２の幅を必要に応じて小さくすることもできるので、どうしても大型で重量も重くなりがちなアップライト型掃除機の小型化や軽量化も可能となる。
【００３７】
また、図９，図１０に示すように、床用吸込具２の前車輪５を、上述したように配置した電動送風機２の外郭の円弧によって両側の斜め下部に生じるデッドペースを有効利用して配置している。
【００３８】
このように構成することにより、図９，図１０に示すように、前車輪５の車輪径を大きくすることができるので、走行性が改善でき、操作性が向上する。
【００３９】
図１１は、本願発明に係るアップライト型掃除機の他の実施形態における掃除機本体の起立状態時を示す側断面図、図１２はそのＤ−Ｄ断面図であり、前記実施形態と同一符号は同一又は相当部分を示している。
【００４０】
本実施形態においては、図１１に示すように、電動送風機６を、その吸引側（送風機部６ｂの吸引口６ｃ側）を起立状態の掃除機本体１の背面側斜め上方に向けて配置したものである。
【００４１】
このように構成すれば、図１１に示す如く、電動送風機６の吸引口６ｃが上部の集塵室８からの吸引流路１５側に向くようになるので、フィルタ１７と電動送風機６の吸引口６ｃとの吸引流路１５が短くなる。従って、流路抵抗が更に少なくなって吸引力の低下をより少なく抑えることができる。
【００４２】
なお、電動送風機６を上述したように配置したことにより、その回転軸方向が床用吸込具２の幅方向に配置される回転ブラシの回転軸方向と交差したものとなり、電動送風機６の回転軸にベルト等を介して回転ブラシの回転軸を連結して回転ブラシを回転駆動することが困難になるが、回転ブラシは必ずしも必要なものではないと共に、回転ブラシが必要であれば、回転ブラシ駆動専用のモータを備えたり、回転ブラシの回転軸内に固定子を内蔵して回転軸を回転子として回転駆動したり、吸込風力によって回転駆動する所謂タービンブラシを備えることも可能である。
【００４３】
ところで、上記のように電動送風機の回転軸にベルト等を介して回転ブラシの回転軸とを連結し、電動送風機の動力を回転ブラシに伝達して回転駆動するものにおいては、例えば特開平８−１１７１５８号公報に開示されているように、床用吸込具の後部右側又は後部左側に前記動力伝達を断続するために操作される操作ペダルを備えたものが開示されている。
【００４４】
この構成によれば、掃除機本体を後方に傾倒して移動しながら行う掃除中に、掃除機を停止せずに、操作ペダルを足で操作して、瞬間的に回転ブラシの駆動のオンオフ切替えができるようになり、例えば絨毯敷きの床から板張りの床へ移行する場合やその逆に移行する場合に、掃除機を止めることなく回転ブラシの駆動のオンオフ切替えをして掃除を連続して行えるようになる。
【００４５】
しかしながら、アップライト型掃除機においては、一時的な掃除中断や、床用吸込具以外のサイドホース等による掃除の際は、掃除機本体を起立状態にしなければならない。この時、上記のように回転ブラシのオンオフ切替えが行えるものでは、回転ブラシの駆動をオフ，すなわち停止させるのが一般的である。これは、騒音の低減や、同じ場所で回転ブラシが回転し続けることによる被掃除面の損傷を防止するためである。なお、掃除機本体の起立状態時には回転ブラシが床面に接触しないように構成することも可能であるが、その場合でも毛足の長い絨毯上や、サイドホース等による掃除の際に、ホースを引っ張ったときに掃除機本体が前方に傾斜すると、回転ブラシが床面等に接触して損傷する畏れがある。
【００４６】
掃除機本体の起立状態時に回転ブラシの駆動を停止するには、掃除機本体を起立させる時に足操作等により操作ペダルの切替え操作が必要となるが、忘れることもあり、また煩雑でもある。なお、回転ブラシを専用の駆動モータで駆動するものでは、掃除機本体の起立動作に連動するスイッチ等を設けて回転ブラシを停止させることも可能であるが、回路構成が複雑になるという課題が生じる。
【００４７】
図１３〜図２５は、上述したような課題を解決したアップライト型掃除機の構成及び作用を示す図であり、前記実施形態と同一符号は同一又は相当部分を示している。
【００４８】
このアップライト型掃除機では、床用吸込具２の前部に底面側の吸込口３に臨ませて回転ブラシ２０が内蔵されており、この回転ブラシ２０を電動送風機６の動力を後述する駆動ベルト３６によって伝達して駆動するため、電動送風機６はその回転軸６ｆを掃除機本体１の幅方向に向けて配置されている。
【００４９】
後車輪４は、掃除機本体１の後部下端に取り付けられており、掃除機本体１が起立状態の時は図１３，図１４に示すように回転ブラシ２０は被掃除面には接触せず、掃除機本体１を図１５に示すように後方に傾倒させると、後車輪４が床用吸込具２の後部下側に回り込んで床用吸込具２の後部側を持ち上げることにより、回転ブラシ２０が被掃除面に接触するように構成されている。
【００５０】
また、ダストボックス９が装着される集塵室（図示せず）は、図１６〜図１９等に示す第１の吸引用ホース（サイドホース）２１によって床用吸込具２に連通している。
【００５１】
掃除機本体１の上部から上方に伸びる棒状ハンドル１１は、図２１に示すように掃除機本体１の筒状部２２から引き抜くことにより吸引用ノズル２３として用いることができるようになっている。この吸引用ノズル２３は第２の吸引用ホース２４によって、ダストボックス９が装着される集塵室に連通している。通常の床面掃除の際は、吸引用ノズル２３を掃除機本体１の筒状部２２に挿入した状態で、棒状ハンドル１１のグリップ部１１ａを持って掃除機本体１を後方に傾倒させて掃除機を移動させることにより床面掃除を行うことができる。一方、家具と壁等の隙間のような狭い場所や階段や窓枠等の高所を掃除する際は、図２１に示したように起立状態の掃除機本体１の筒状部２２から吸引用ノズル２３を引き抜いて吸引用ノズル２３を用いて掃除を行うことができる。
【００５２】
床用吸込具２は、図２２，図２３に示すように、底面側に吸込口３が形成された吸込口部３１の両端側から後方に側部３２を突設したコ字状に形成され、両側部３２間に掃除機本体１の下部を挟み、電動送風機６の回転軸６ｆと同軸の支軸３３を中心に回動可能に掃除機本体１に連結されている。
【００５３】
回転ブラシ２０の回転軸２０ａの一端側には、内側に駆動プーリ３４が配置され、その外側に自由プーリ３５が配置されており、電動送風機６の回転軸６ｆに掛けられた駆動ベルト３６が切り替えレバー３７によって駆動プーリ３４と自由プーリ３５のいずれか一方に掛け替えられる。駆動ベルト３６が駆動プーリ３４に掛かると回転ブラシ２０は回転し、自由プーリ３５に掛かると自由プーリ３５は空回りするだけで回転ブラシ２０は回転しない。
【００５４】
上記切り替えレバー３７は、その先端側で駆動ベルト３６を遊びを持たせて挟み、基端側の内側部位が支軸３８に取り付けれて先端側を内外方向に回動可能に取り付けられている。基端側の外側部位には連結部３９を介して、図１３〜図１５等に示すように床用吸込具２の一方の側部３２における後方上面に取り付けられた切り替えペダル４０が連結されている。
【００５５】
切り替えペタル４０は、図１４，図１５に示すように、支軸４１を介して前後に回動可能に取り付けられており、切り替えペダル４０の前部上面を足で踏んで前側に回動させると、図２３に示すように切り替えレバー３７との連結部３９が後方に引っ張られて切り替えレバー３７がその先端側を外側に向けて回動し、駆動ベルト３６が外側の自由プーリ３５に掛け替わって、電動送風機６の動力が回転ブラシ２０に伝達されなくなる。この状態から切り替えペダル４０の後部上面を足で踏んで後側に回動させると、切り替えレバー３７との連結部３９が前方に押し出されて、図２２に示すように切り替えレバー３７がその先端側を内側に向けて回動し、駆動ベルト３６が内側の駆動プーリ３４に掛け替わって、電動送風機６の動力が回転ブラシ２０に伝達されるようになる。
【００５６】
さらに、本実施形態では、上記切り替えペダル４０に対向する掃除機本体１の側面に、掃除機本体１の起立状態移行時に、切り替えペダル４０の前部上面に当接する長さの第１の突起４２を設けると共に、切り替えペダル４０の前部内側側面に形成された凹部４３に嵌合する長さで弾力性と耐摩耗性を有する第２の突起４４を形成している。
【００５７】
すなわち、掃除機本体１の起立状態移行時には、図２４に示すように第１の突起４２と第２の突起４４が円弧を描いて回動し、第１の突起４２が切り替えペダル４０の前部上面に当接することにより、前部上面を足で踏み込んだ時と同様に作用して切り替えペダル４０を前側に回動させる。この時、第２の突起４４は、切り替えペダル４０の前部内側側面に弾接しながら凹部４３に嵌合する。この状態から掃除機本体１を後方に傾倒させると、切り替えペダル４０の前部内側側面の凹部４３に嵌合した第２の突起４４が切り替えペダル４０の前部を持ち上げることにより、切り替えペダル４０の後部上面を足で踏み込んだ時と同様に作用して切り替えペダル４０を後側に回動させる。
【００５８】
以上のように構成することにより、掃除機本体１を後方に傾倒して回転ブラシ２０を回転駆動しながら行う通常の床面掃除時に、一時的な掃除中断や図２１に示したように吸引用ノズル２３を掃除機本体１から引き抜いて行う隙間掃除等のため掃除機本体１を起立状態にすると、上述したように第１の突起４２が切り替えペダル４０の前部上面に当接して、切り替えペダル４０を前側に回動させるので、切り替えペダル４０を足で操作することなく自動的に回転ブラシ２０の回転を停止させることができる。
【００５９】
従って、掃除機本体１の起立状態時の騒音の低減や、同じ場所で回転ブラシ２０が回転し続けることによる被掃除面の損傷を、切り替えペダル４０の操作忘れや操作の煩雑さを伴うことなく防止することができ、使い勝手が向上する。なお、このアップライト型掃除機は、前述したように掃除機本体１の起立状態時には回転ブラシ２０が床面に接触しないように構成されているが、毛足が長い絨毯上や、吸引用ノズル２３による掃除の際に、図２５に示すようにホース２４を引っ張った時に掃除機本体１が前方に傾斜すると、回転ブラシ２０が床面に接触して床面を損傷する畏れがあるが、このような場合に対応できる。
【００６０】
一方、上述した掃除機本体１の起立状態時から掃除機本体１を後方に傾倒して床面掃除を再開する場合は、掃除機本体１を後方に傾倒させると、上述したように切り替えペダル４０の前部内側側面の凹部４３に嵌合している第２の突起４４が切り替えペダル４０の前部を持ち上げて、切り替えペダル４０を後側に回動させるので、切り替えペダル４０を足で操作することなく自動的に回転ブラシ２０の回転を再開させることができる。
【００６１】
従って、切り替えペダル４０の操作忘れや操作の煩雑さを伴うことなく、自動的に回転ブラシ２０を用いた絨毯等の床面掃除に移行することもできるので、使い勝手が格段に向上する。
【００６２】
なお、切り替えペダル４０が後側一杯まで回動すると、凹部４３に嵌合していた第２の突起４４は切り替えペダル４０の前部内側側面に弾接しながら凹部４３から離脱する。従って、掃除機本体１を後方に傾倒して行う通常の床面掃除時には、上記第１の突起４２及び第２の突起４４は、切り替えペダル４０から離間しているので、切り替えペダル４０を足で操作して回転ブラシ４０の駆動／停止を切り替え操作することができる。
【００６３】
なお、上記実施形態では、第１の突起４２に加えて第２の突起４４及び凹部４３を設けたが、第１の突起４２だけでも、掃除機本体１を起立状態にすると回転ブラシ２０が自動的に停止するので、初期の目的は達成することができる。
【図面の簡単な説明】
【００６４】
【図１】本願発明に係るアップライト型掃除機の一実施形態における掃除機本体の起立状態時を示す側断面図。
【図２】そのダストボックスを取り外して示した正面図。
【図３】更に電動送風機部分を露出させて示した正面図。
【図４】図１のＡ−Ａ断面図。
【図５】図１のＢ−Ｂ断面図。
【図６】吸引用ホースの配置構成を示すために一部を破断して示した正面図。
【図７】同じく吸引用ホースの配置構成を示すための背面図。
【図８】図６のＣ−Ｃ断面図。
【図９】前車輪の配置構成を示すための側断面図。
【図１０】同じく前車輪の配置構成を示すために一部を破断して示した正面図。
【図１１】本願発明に係るアップライト型掃除機の他の実施形態における掃除機本体の起立状態時を示す側断面図。
【図１２】そのＤ−Ｄ断面図。
【図１３】アップライト型掃除機の他の実施形態における掃除機本体の起立状態時を示す右側面図。
【図１４】その要部断面図。
【図１５】掃除機本体が後方に傾倒した状態を示す要部断面図。
【図１６】掃除機本体の起立状態時の正面図。
【図１７】同じく背面図。
【図１８】掃除機本体が後方に傾倒時の上面図。
【図１９】掃除機本体の起立状態時の左側面図。
【図２０】その側断面図。
【図２１】吸引用ノズルを用いた掃除動作を示す側面図。
【図２２】掃除機本体の電動送風機から床用吸込具の回転ブラシへの動力伝達の構成と作用を示す横断面図。
【図２３】同じく他の作用を示す横断面図。
【図２４】掃除機本体の起立状態への移行時の作用を示す要部断面図。
【図２５】吸引用ノズルを用いた掃除動作例を示す側面図。
【符号の説明】
【００６５】
１  掃除機本体
１ａ  前ケース
１ｂ  後ケース
２  床用吸込具
３  吸込口
４  後車輪
５  前車輪
６  電動送風機
６ａ  電動機部
６ｂ  送風機部
６ｃ  吸引口
６ｄ  ブラケット
６ｅ  排気孔
６ｆ  回転軸
７  排気口
８  集塵室
９  ダストボックス
１０  リング状ハンドル
１１  棒状ハンドル
１１ａ  グリップ部
１２  吸引用ホース
１３  吸引用パイプ
１４  吸引筒
１５  吸引流路
１６  通気口
１７  フィルタ
１８ａ，１８ｂ  クッション材
２０  回転ブラシ
２０ａ  回転軸
２１  第１の吸引用ホース
２２  筒状部
２３  吸引用ノズル
２４  第２の吸引用ホース
３１  吸込口部
３２  側部
３３  支軸
３４  駆動プーリ
３５  自由プーリ
３６  駆動ベルト
３７  切り替えレバー
３８  支軸
３９  連結部
４０  切り替えペダル
４１  支軸
４２  第１の突起
４３  凹部
４４  第２の突起 
【図１】
2008023016.tif 000003
【図２】
2008023016.tif 000004
【図３】
2008023016.tif 000005
【図４】
2008023016.tif 000006
【図５】
2008023016.tif 000007
【図６】
2008023016.tif 000008
【図７】
2008023016.tif 000009
【図８】
2008023016.tif 000010
【図９】
2008023016.tif 000011
【図１０】
2008023016.tif 000012
【図１１】
2008023016.tif 000013
【図１２】
2008023016.tif 000014
【図１３】
2008023016.tif 000015
【図１４】
2008023016.tif 000016
【図１５】
2008023016.tif 000017
【図１６】
2008023016.tif 000018
【図１７】
2008023016.tif 000019
【図１８】
2008023016.tif 000020
【図１９】
2008023016.tif 000021
【図２０】
2008023016.tif 000022
【図２１】
2008023016.tif 000023
【図２２】
2008023016.tif 000024
【図２３】
2008023016.tif 000025
【図２４】
2008023016.tif 000026
【図２５】
2008023016.tif 000027